(57)【要約】【課題】所定の衝撃による投入抵抗ユニットや投入抵抗ユニットと固定部との連結部の破損を防止する、遮断器用投入抵抗ユニットの支持構造を提供する。【解決手段】本発明の一実施形態による遮断器用投入抵抗ユニット２００の支持構造は、ガス絶縁開閉装置に備えられた遮断器の固定部１００に連結されて可動部（図示せず）と固定部１００との接点事故を防止する遮断器用投入抵抗ユニット２００の支持構造において、投入抵抗ユニット２００の前面上端には、一端が固定部１００の上端に前後方向に所定角度回転可能に連結され、他端が投入抵抗ユニット２００の上端に前後方向に所定角度回転可能に連結される第１支持板２２０が形成され、投入抵抗ユニット２００の中心部には、一端が固定部１００の側面に上下方向に所定角度回転可能に連結され、他端が投入抵抗ユニット２００に連結される第２支持板２３０が形成される。【選択図】図３
2016039145.tif 000002
【特許請求の範囲】
【請求項１】
ガス絶縁開閉装置に備えられた遮断器の固定部に連結されて可動部と固定部との接点事故を防止する遮断器用投入抵抗ユニットの支持構造において、
前記投入抵抗ユニットの前面上端には、一端が前記固定部の上端に前後方向に所定角度回転可能に連結され、他端が前記投入抵抗ユニットの上端に前後方向に所定角度回転可能に連結される第１支持板が形成され、
前記投入抵抗ユニットの中心部には、一端が前記固定部の側面に上下方向に所定角度回転可能に連結され、他端が前記投入抵抗ユニットに連結される第２支持板が形成されることを特徴とする、遮断器用投入抵抗ユニットの支持構造。
【請求項２】
前記第１支持板の両側に少なくとも１つの第１支持板締結孔がそれぞれ形成され、締結部材が前記第１支持板締結孔を貫通して前記固定部及び前記投入抵抗ユニットにそれぞれ締結されることにより、前記第１支持板の一端は、前記固定部に連結された状態で前後方向に所定角度回転し、前記第１支持板の他端は、前記投入抵抗ユニットに連結された状態で前後方向に所定角度回転する、請求項１に記載の遮断器用投入抵抗ユニットの支持構造。
【請求項３】
前記第２支持板の一端には前記投入抵抗ユニットが貫通するように貫通孔が形成され、前記第２支持板の他端には少なくとも１つの第２支持板締結孔が形成され、
前記投入抵抗ユニットが前記貫通孔を貫通した状態で締結部材が前記第２支持板締結孔を貫通して前記固定部に締結されることにより、前記第２支持板により前記投入抵抗ユニットが上下方向に所定角度回転する、請求項１に記載の遮断器用投入抵抗ユニットの支持構造。
【請求項４】
前記締結部材の上部にはヘッドが形成され、前記第２支持板締結孔には前記ヘッドが収容されるヘッド収容部が形成される、請求項３に記載の遮断器用投入抵抗ユニットの支持構造。
【発明の詳細な説明】
【技術分野】
【０００１】
本発明は、遮断器用投入抵抗ユニットの支持構造に関し、特に、遮断器の固定部に固定される投入抵抗ユニットの支持構造を改善して投入抵抗ユニットの構造を安定化させ、遮断器の寿命を延ばす、遮断器用投入抵抗ユニットの支持構造に関する。
【背景技術】
【０００２】
ガス絶縁開閉装置（Gas Insulated Switchgear; GIS）は、六フッ化硫黄（ＳＦ6）ガスを用いた開閉装置である。
【０００３】
このようなガス絶縁開閉装置は、優れた消弧性能及び安定した絶縁特性を有する遮断器、開閉器、母線接続部などをＳＦ6が充填されて密閉された容器内に入れることにより、小型化が可能であるだけでなく、使用時の安定性を向上させることができるので、様々な領域で使用されている。
【０００４】
一方、１７０ＫＶ級以上の大容量系統に使用されるガス絶縁開閉装置の遮断器には、可動部を固定部に投入するときに発生する過電圧を抑制するように投入抵抗ユニットが備えられる。
【０００５】
図７及び図８は従来の投入抵抗ユニットが備えられた遮断器を示す概略図であり、図７は可動部が固定部から分離した状態を示し、図８は可動部が固定部に当接した状態を示す。
【０００６】
図７及び図８に示すように、１７０ＫＶ級以上の大容量系統に使用されるガス絶縁開閉装置の遮断器は、可動部１０、可動部１０が挿入されて接触する固定部２０、投入抵抗可動部接点３１を備えた投入抵抗可動部３０、及び投入抵抗可動部接点３１に接触する投入抵抗ユニット接点４１を備えた投入抵抗ユニット４０等から構成される。
【０００７】
ここで、可動部１０には、可動部１０と固定部２０の内部に形成された固定接点２１ａとの接触が安定して行われるように案内ガイド１１が形成され、案内ガイド１１は、固定部２０の内部に形成されたロッド２１を可動部１０の内部にガイドして、ロッド２１の端部に形成された固定接点２１ａに可動部１０が接触するようにする。
【０００８】
このように構成された従来のガス絶縁開閉装置の遮断器における可動部１０と固定接点２１ａとの接触は次のように行われる。
【０００９】
まず、遮断器の内部に備えられた固定部２０の側面に投入抵抗ユニット４０が取り付けられた状態で、固定部２０側に可動部１０が移動すると、固定部２０の内部に形成されたロッド２１が可動部１０の内部に挿入される。
【００１０】
ここで、ロッド２１の端部に形成された固定接点２１ａが案内ガイド１１にガイドされて可動部１０の内部に挿入され、可動部１０が固定接点２１ａに接触する。
【００１１】
可動部１０が固定接点２１ａに接触する際には、投入抵抗可動部３０の投入抵抗可動部接点３１と投入抵抗ユニット４０の投入抵抗ユニット接点４１との接触が先に行われ、投入抵抗ユニット４０に所定の衝撃が加わる。
【発明の概要】
【発明が解決しようとする課題】
【００１２】
しかし、このような従来のガス絶縁開閉装置の遮断器においては、投入抵抗可動部接点３１と投入抵抗ユニット接点４１との接触による衝撃がそのまま投入抵抗ユニット４０やその周辺に伝わるので、投入抵抗ユニット４０だけでなく投入抵抗ユニット４０の連結部も共に破損することにより、遮断器内での投入抵抗ユニット４０の構造的安定性が著しく低下するという問題があった。
【００１３】
また、遮断器内での投入抵抗ユニット４０の構造的安定性が著しく低下するので、遮断器の寿命が大幅に短縮されるという問題があった。
【００１４】
さらに、固定部２０への投入抵抗ユニット４０の取り付けや固定部２０からの投入抵抗ユニット４０の取り外しが容易でないという問題があった。
【００１５】
本発明は、このような問題を解決するためになされたものであり、遮断器の固定部に固定される投入抵抗ユニットの支持構造を改善して投入抵抗ユニットの構造を安定化させ、遮断器の寿命を延ばす、遮断器用投入抵抗ユニットの支持構造を提供することを目的とする。
【課題を解決するための手段】
【００１６】
本発明の上記目的は、ガス絶縁開閉装置に備えられた遮断器の固定部に連結されて可動部と固定部との接点事故を防止する遮断器用投入抵抗ユニットの支持構造において、前記投入抵抗ユニットの前面上端には、一端が前記固定部の上端に前後方向に所定角度回転可能に連結され、他端が前記投入抵抗ユニットの上端に前後方向に所定角度回転可能に連結される第１支持板が形成され、前記投入抵抗ユニットの中心部には、一端が前記固定部の側面に上下方向に所定角度回転可能に連結され、他端が前記投入抵抗ユニットに連結される第２支持板が形成されることを特徴とする遮断器用投入抵抗ユニットの支持構造を提供することにより達成することができる。
【００１７】
また、前記第１支持板の両側に少なくとも１つの第１支持板締結孔がそれぞれ形成され、締結部材が前記第１支持板締結孔を貫通して前記固定部及び前記投入抵抗ユニットにそれぞれ締結されることにより、前記第１支持板の一端は、前記固定部に連結された状態で前後方向に所定角度回転し、前記第１支持板の他端は、前記投入抵抗ユニットに連結された状態で前後方向に所定角度回転するようにしてもよい。
【００１８】
さらに、前記第２支持板の一端には前記投入抵抗ユニットが貫通するように貫通孔が形成され、前記第２支持板の他端には少なくとも１つの第２支持板締結孔が形成され、前記投入抵抗ユニットが前記貫通孔を貫通した状態で締結部材が前記第２支持板締結孔を貫通して前記固定部に締結されることにより、前記第２支持板により前記投入抵抗ユニットが上下方向に所定角度回転するようにしてもよい。
【００１９】
さらに、前記締結部材の上部にはヘッドが形成され、前記第２支持板締結孔には前記ヘッドが収容されるヘッド収容部が形成されるようにしてもよい。
【発明の効果】
【００２０】
本発明による遮断器用投入抵抗ユニットの支持構造においては、投入抵抗ユニットを第１支持板及び第２支持板により固定部に連結し、第１支持板により投入抵抗ユニットが固定部を基準として前後方向に動くようにし、第２支持板により投入抵抗ユニットが固定部を基準として上下方向に動くようにすることで、所定の衝撃による投入抵抗ユニットや投入抵抗ユニットと固定部との連結部の破損を防止するという効果がある。
【００２１】
また、投入抵抗ユニットや投入抵抗ユニットと固定部との連結部の破損を防止することにより、遮断器内での投入抵抗ユニットの構造的安定性を向上させ、遮断器の寿命を延ばすという効果がある。
【００２２】
さらに、第１支持板及び第２支持板により、固定部への投入抵抗ユニットの取り付けや固定部からの投入抵抗ユニットの取り外しが容易になるという効果がある。
【図面の簡単な説明】
【００２３】
【図１】本発明による投入抵抗ユニットが固定部に取り付けられた状態を示す斜視図である。
【図２】本発明による投入抵抗ユニットが固定部に取り付けられた状態を示す平面図である。
【図３】本発明による投入抵抗ユニットが固定部に取り付けられているときに外部衝撃により後方に移動した状態を示す平面図である。
【図４】本発明による遮断器の固定部に投入抵抗ユニットが取り付けられた状態を示す概略断面図である。
【図５】本発明による遮断器の固定部に投入抵抗ユニットが取り付けられた状態を示す平面透視図である。
【図６】本発明による遮断器の投入抵抗ユニットに連結される第２支持板を示す斜視図である。
【図７】従来の遮断器において可動部が固定部から分離した状態を示す概略図である。
【図８】従来の遮断器において可動部が固定部に当接した状態を示す概略図である。
【発明を実施するための形態】
【００２４】
以下、添付図面を参照して本発明の一実施形態による遮断器用投入抵抗ユニットの支持構造について詳細に説明する。
【００２５】
図１は、本発明による投入抵抗ユニットが固定部に取り付けられた状態を示す斜視図である。
【００２６】
本発明による遮断器は、その内部に可動部（図示せず）と固定部１００とが備えられ、図１に示すように、固定部１００の側面に投入抵抗ユニット２００が取り付けられる。
【００２７】
投入抵抗ユニット２００は、前記可動部の接点と固定部１００の接点とが接触するときに発生する接点事故を防止する。
【００２８】
すなわち、前記可動部と固定部１００とからなる主接点部が接触する前に、前記可動部に備えられた投入抵抗ユニット可動部接点（図示せず）と投入抵抗ユニット２００に備えられた投入抵抗ユニット接点２１０とが先に接触するので、投入抵抗ユニット２００により前記可動部と固定部１００との接触時に発生する過電圧がある程度抑制される。
【００２９】
図２は本発明による投入抵抗ユニットが固定部に取り付けられた状態を示す平面図であり、図３は本発明による投入抵抗ユニットが固定部に取り付けられているときに外部衝撃により後方に移動した状態を示す平面図であり、図４は本発明による遮断器の固定部に投入抵抗ユニットが取り付けられた状態を示す概略断面図であり、図５は本発明による遮断器の固定部に投入抵抗ユニットが取り付けられた状態を示す平面透視図であり、図６は本発明による遮断器の投入抵抗ユニットに連結される第２支持板を示す斜視図である。
【００３０】
図２〜図６に示すように、投入抵抗ユニット２００の前面上端には第１支持板２２０が形成され、投入抵抗ユニット２００の中心部には第２支持板２３０が形成される。
【００３１】
第１支持板２２０は、投入抵抗ユニット２００の前面上端に回転可能に連結されるが、一端は固定部１００の上端に固定部１００を基準として前後方向に所定角度回転可能に連結され、他端は投入抵抗ユニット２００の上端に固定部１００を基準として前後方向に所定角度回転可能に連結される。
【００３２】
ここで、第１支持板２２０の両側には、少なくとも１つの第１支持板締結孔２２１がそれぞれ形成され、ボルトなどの締結部材２２３が第１支持板締結孔２２１を貫通して固定部１００及び投入抵抗ユニット２００にそれぞれ締結されることにより、第１支持板２２０の両端が固定部１００と投入抵抗ユニット２００に連結された状態で所定角度回転する。
【００３３】
よって、投入抵抗ユニット２００は、外部から所定の衝撃が加わると、第１支持板２２０により固定部１００を基準として前後方向に移動し、加わった衝撃を吸収する。
【００３４】
第２支持板２３０は、投入抵抗ユニット２００の中心部に備えられ、投入抵抗ユニット２００が固定部１００を基準として上下方向に移動可能にする。
【００３５】
ここで、第２支持板２３０の一端には貫通孔２３１が形成され、第２支持板２３０の他端には少なくとも１つの第２支持板締結孔２３３が形成される。
【００３６】
貫通孔２３１には投入抵抗ユニット２００が貫通して挿入され、第２支持板締結孔２３３には締結部材２４０が貫通して固定部１００に締結される。
【００３７】
つまり、第２支持板２３０の一端は、投入抵抗ユニット２００が貫通孔２３１に挿入されることにより投入抵抗ユニット２００に連結され、第２支持板２３０の他端は、締結部材２４０が第２支持板締結孔２３３を貫通して固定部１００に締結されることにより固定部１００に所定角度回転可能に連結される。
【００３８】
よって、投入抵抗ユニット２００は、外部から所定の衝撃が加わると、第２支持板２３０により固定部１００を基準として上下方向に移動し、加わった衝撃を吸収する。
【００３９】
第２支持板締結孔２３３には、締結部材２４０のヘッド２４１が収容されるようにヘッド収容部２３３ａが形成される。よって、締結部材２４０が第２支持板締結孔２３３を貫通して固定部１００に締結される際に、ヘッド２４１がヘッド収容部２３３ａに収容されるので、ヘッド２４１が外部に突出しないだけでなく、締結部材２４０が第２支持板締結孔２３３を貫通した状態でさらに強固に固定部１００に締結される。
【００４０】
本発明においては、前記可動部の投入抵抗ユニット可動部接点と投入抵抗ユニット２００の投入抵抗ユニット接点２１０とが接触するときに発生する衝撃を、投入抵抗ユニット２００が第１支持板２２０により前後方向に移動して吸収すると共に第２支持板２３０により上下方向に移動して吸収するようにし、外部衝撃により投入抵抗ユニット２００が破損したり投入抵抗ユニット２００と固定部１００との連結部が破損することを防止し、投入抵抗ユニット２００の構造的安定性を向上させる。
【００４１】
また、投入抵抗ユニット２００が強固に固定部１００に取り付けられるので、遮断器を長時間使用しても投入抵抗ユニット２００が固定部１００から分離しにくくなり、遮断器の寿命が延びる。
【００４２】
さらに、第１支持板２２０及び第２支持板２３０を用いて投入抵抗ユニット２００が固定部１００に取り付けられるので、固定部１００への投入抵抗ユニット２００の取り付けや固定部１００からの投入抵抗ユニット２００の取り外しが容易になる。
【００４３】
以上、本発明の好ましい一実施形態について説明したが、本発明は、様々な変化、変更及び均等物を用いることができ、上記実施形態を適切に変形して同様に応用することができることは明らかである。よって、上記記載内容は添付の特許請求の範囲により定義される本発明の範囲を限定するものではない。
【符号の説明】
【００４４】
１００    固定部
２００    遮断器用投入抵抗ユニット
２１０    投入抵抗ユニット接点
２２０    第１支持板
２２１    第１支持板締結孔
２２３    締結部材
２３０    第２支持板
２３１    貫通孔
２３３    第２支持板締結孔
２３３ａ    ヘッド収容部
２４０    締結部材
２４１    ヘッド
【図１】
2016039145.tif 000003
【図２】
2016039145.tif 000004
【図３】
2016039145.tif 000005
【図４】
2016039145.tif 000006
【図５】
2016039145.tif 000007
【図６】
2016039145.tif 000008
【図７】
2016039145.tif 000009
【図８】
2016039145.tif 000010